【事件の表示】
　平成　４年特許願第３６１６５５号「電源自動遮断装置」拒絶査定に対する審判事件［平成　５年１１月１９日出願公開、特開平　５−３０８５９７］について、次のとおり審決する。
【結　論】
　本件審判の請求は、成り立たない。
【理　由】
第１　【手続きの経緯、本願発明】
　本願は、平成４年１２月１５日（パリ条約による優先権主張１９９１年１２月１６日、米国）の出願であって、その請求項１に係る発明（以下「本願発明」という。）は、平成１３年９月２６日付け、および平成１４年２月２０日付けの手続補正書により補正された明細書及び図面の記載からみて、その特許請求の範囲の請求項１に記載された次のとおりのものである。
「【請求項１】　テレビジョン受像機から動作電源を自動的に断つ電源自動遮断装置であって、
　データで変調されたリモートコントロール信号を受け取るリモートコントロール受信手段と、
　前記リモートコントロール受信手段に結合されており、前記変調されたリモートコントロール信号から前記データを復号化する制御手段と、
　前記制御手段に結合されており、所定の時間間隔を計時し、この所定の時間間隔の終了を示す信号を発生するタイマー手段と、
　前記制御手段に結合されており、テレビジョンのビデオ信号を処理するビデオ信号処理手段と、
　前記ビデオ信号処理手段に結合されており、前記テレビジョンのビデオ信号をビデオ画像として表示する表示手段と、
　オンスクリーン表示／図形発生手段と、を含んでおり、
　前記制御手段は、前記所定の時間間隔の終了間近の間に、前記オンスクリーン表示／図形発生手段を制御して前記ビデオ画像の一部を覆い隠す第１と第２の境界を有する境界領域を発生させ、更に、時間経過に伴って前記境界領域の大きさを徐々に増大させて前記ビデオ画像のより広い部分を徐々に覆い隠すようにし、また、前記タイマー手段は、前記所定の時間間隔の終了時点で、この所定の時間間隔の終了を示す前記信号を前記制御手段に供給し、前記制御手段は、この信号に応答して、前記信号処理手段への動作電源の供給を断つようにする、電源自動遮断装置。」
　　　　　　
第２　【引用例】
　１　これに対して、原査定の拒絶の理由に引用された特開平２−３０５１８８号公報（以下「引用例１」という。）には、「映像機器のオフタイマタイマー回路」（発明の名称）に関し、図面と共に次の（１）ないし（４）のとおりの記載がある。
　（１）「（１）ａ）設定時間に達すると自動的に電源がオフする映像機器のタイマー回路において、
ｂ）特定の画像を記憶する画像記憶回路と、
ｃ）電源オフ直前に該特定の画像を読出し、一定時間特定画像信号を出力する画像表示制御回路とを備え、
ｄ）該特定画像信号を通常の映像信号に重量するか、または特定画像出力時のみ映像信号から該特定画像信号へ切換えて、画像表示器上へ表示する事を特徴とする映像機器のオフタイマー回路。
（２）前記特定の画像は時間経過に伴ない、形、色、大きさあるいは表示位置等の表示内容が変化する事を特徴とする請求項１記載の映像機器のオフタイマー回路。」（特許請求の範囲）
　（２）「〔産業上の利用分野〕
　本発明は、映像機器のオフタイマー回路に関する。
〔従来の技術〕
　テレビをはじめとする映像機器のオフタイマーは、設定時間に達すると自動的に電源が切れるものである。
〔発明が解決しようとする課題〕
　しかし、視聴者が設定時間に達しても視聴を続けている場合、前触れもなく突然電源が切れていたため、不快感を伴っていた。
　そこで、本発明はこの様な問題点を解決するもので、その目的とするところは、電源オフ直前に特定の画像を表示させ、予告する事により、おもしろみのあるオフタイマーを提供する事にある。」（１頁右下欄２行ないし１６行）
　（３）「「〔実施例〕
　以下、本発明について実施例に基づき詳細に説明する。
　第１図は本発明の映像機器のオフタイマー回路のブロック図であり、第２図は第１図の画像表示部６に表示される特定画像の動きを示す表示画像図の一例である。
　オフタイマー設定時間直前にタイマー回路１から出力されるスタ一ト信号９がＬレベルからＨレベルに切換わる。この時、画像表示制御回路４が起動し、画像記憶回路３に記憶された特定の画像を読出し、特定画像信号１０を出力する。ここで、映像信号切替回路５はこの特定映像信号１０を選択し、画像表示部６へ入力する。従って、電源オフ直前に特定の画像が表示される事になる。この画像は静止画でも良いが、第２図（a)〜（c）に示す様に太陽が沈んで行く様な動画にすれば、より演出効果が増大する。
　次に、特定画像の表示が終了すると、パワー制御信号７がＨレベルからＬレベルに切換わり、電源回路２から回路全体に供給されている電源電圧８が０Ｖとなり、動作停止する。
　なお、本発明の実現に際しては、ハードロジック回路で構成しても良いが、キャラクタ表示機能を内蔵したマイクロコンピュータを利用すれば、構成が簡単である。このキャラクタ表示機能は一般的に、形、色、大きさあるいは表示位置の変更が可能であり、動きのある画像が作れる。」（２頁左上欄１３行ないし同頁右上欄２０行）
　（４）「〔発明の効果〕
　本発明は以上説明したとおり、オフタイマー動作直前に特定の画像が表示される。従って、オフタイマー動作まで視聴を続けても、突然電源が切れず、予告の画像表示が行われるため、不快感がなく、むしろ演出効果による楽しさが加わった。
　また、最近のテレビ等の映像機器はマイクロコンピュータを搭載し、画面上に文字表示を行うものがほとんどであり、ソフトウェアの一部変更のみで何らコストアップする事なく実現できる。」（２頁左下欄１行ないし１０行）
　２　同じく引用された特開平２−５２５７８号公報（以下「引用例２」という。）には、「カメラ一体型ＶＴＲにおける図面の垂れ幕表出システム」（発明の名称）に関し、図面と共に次の（１）、（２）のとおりの記載がある。
　（１）「本発明は、カメラ一体型ＶＴＲの垂れ幕表出システムに係り、特にカメラが一体化されたＶＴＲの撮像録画時に舞台の垂れ幕が上がったり下がったりするように画面を表出する垂れ幕表出システムに関するものである。」（１頁右下欄１４行ないし１８行）
　（２）「録画された画面を上端から段階的に除去し完全に消し去るか又は画面の下端から段階的に現われるようにして完全な画面を構成する。」（２頁右上欄７行ないし１０行）
　　　　　　　　　　　　　　　　　　　　　
第３　【当審の判断】
　１　［対比］
　本願発明と引用例１に記載された発明とを対比すると、次のことが認められる。
　（１）引用例１には、設定時間に達すると自動的に電源がオフするテレビ等の映像機器のタイマー回路が記載されており（引用例１の上記（１）、（２）、（４）の記載参照）、引用例１に記載の発明も、本願発明と同様の「テレビジョン受像機から動作電源を自動的に断つ電源自動遮断装置」を対象としているといえる。
　（２）引用例１に記載のタイマー回路１は、設定時間に達すと自動的に電源を切る、すなわち特定画像の表示が終了すると、パワー制御信号７がＨレベルからＬレベルに切換わり、電源回路２から回路全体に供給されている電源電圧８が０Ｖとなり、動作停止するものであり（引用例１の上記（３）の記載参照）、本願発明でいう「所定の時間間隔を計時し、この所定の時間間隔の終了を示す信号を発生するタイマー手段」に対応するものといえる。
　（３）テレビジョン受像機自体が、テレビジョンのビデオ信号を処理するビデオ信号処理手段を有することは自明の事項であり、引用例１に記載のテレビ（映像機器）も、明記はなくとも、本願発明でいう「テレビジョンのビデオ信号を処理するビデオ信号処理手段」を当然備えるものといえる。
　（４）引用例１に記載の画像表示部６は、通常の映像信号を表示するものであり（引用例１の上記（１）、（３）の記載参照）、そのような映像信号を表示する画像表示部６が、上記（３）で述べたようなビデオ信号処理手段に結合されることも当然のことであるから、引用例１に記載の発明も、本願発明と同様の「前記ビデオ信号処理手段に結合されており、前記テレビジョンのビデオ信号をビデオ画像として表示する表示手段」を有するものといえる。
　（５）引用例１には、電源オフ直前に特定の画像を読出し、一定時間特定画像信号を出力する画像表示制御回路とを備え、該特定画像信号を通常の映像信号に重量して、画像表示器上へ表示すること、また前記特定の画像は時間経過に伴ない、形、色、大きさあるいは表示位置等の表示内容が変化することが記載されており（引用例１の上記（１）の記載参照）、このように特定画像信号を通常の映像信号に重量して表示することによって、通常の映像信号の一部が特定の画像領域で覆い隠されることは明らかであり、しかもその特定の画像領域は時間経過に伴い、大きさが変化するものであるから、それらの制御を、制御手段が行うか否かはともかくとして、引用例１に記載の発明も、本願発明と同様「前記所定の時間間隔の終了間近の間に、前記オンスクリーン表示／図形発生手段を制御して前記ビデオ画像の一部を覆い隠す領域を発生させ、更に、時間経過に伴って前記領域の大きさを徐々に変化させて前記ビデオ画像を覆い隠す」ものといえる。
　（６）上記（２）でも摘示したように、引用例１には、タイマー回路１は、設定時間に達すと自動的に電源を切る、すなわち特定画像の表示が終了すると、パワー制御信号７がＨレベルからＬレベルに切換わり、電源回路２から回路全体に供給されている電源電圧８が０Ｖとなり、動作停止するものであるから、引用例１に記載の発明も、本願発明でいう「前記タイマー手段は、前記所定の時間間隔の終了時点で、この所定の時間間隔の終了を示す前記信号を供給し、この信号に応答して、回路の動作電源の供給を断つようにする」ものといえる。　　　　　　　
　２　［一致点］・［相違点］
　以上の点（１）ないし（６）を踏まえると、両発明は、
「テレビジョン受像機から動作電源を自動的に断つ電源自動遮断装置であって、
　所定の時間間隔を計時し、この所定の時間間隔の終了を示す信号を発生するタイマー手段と、
　テレビジョンのビデオ信号を処理するビデオ信号処理手段と、
　前記ビデオ信号処理手段に結合されており、前記テレビジョンのビデオ信号をビデオ画像として表示する表示手段と、
　オンスクリーン表示／図形発生手段と、を含んでおり、
　前記所定の時間間隔の終了間近の間に、前記オンスクリーン表示／図形発生手段を制御して前記ビデオ画像の一部を覆い隠す領域を発生させ、更に、時間経過に伴って前記領域の大きさを徐々に変化させて前記ビデオ画像を覆い隠すようにし、また、前記タイマー手段は、前記所定の時間間隔の終了時点で、この所定の時間間隔の終了を示す前記信号を供給し、この信号に応答して、回路の動作電源の供給を断つようにする、電源自動遮断装置。」である点で一致し、次の点で相違する。
　相違点１
　本願発明は、「データで変調されたリモートコントロール信号を受け取るリモートコントロール受信手段と、前記リモートコントロール受信手段に結合されており、前記変調されたリモートコントロール信号から前記データを復号化する制御手段」を有しているのに対して、引用例１には、「マイクロコンピュータ」についての記載はあるものの、それらのことが記載されていない点。
　相違点２
　タイマー手段とビデオ信号処理手段が、本願発明では、それぞれ「前記制御手段に結合されており」、タイマー手段が所定の時間間隔の終了を示す信号を発生したり、またビデオ信号処理手段がテレビジョンのビデオ信号を処理したりするのに対して、引用例１には、それらのことが記載されていない点。
　相違点３
　本願発明では、「前記制御手段は」、前記所定の時間間隔の終了間近の間に、前記オンスクリーン表示／図形発生手段を制御して前記ビデオ画像の一部を覆い隠す「第１と第２の境界を有する境界」領域を発生させ、更に、時間経過に伴って前記「境界」領域の大きさを徐々に「増大」させて前記ビデオ画像の「より広い部分を徐々に」覆い隠すようにしているのに対して、引用例１には、通常の映像信号に特定画像信号を重畳して表示し、時間経過に伴ない、特定画像の大きさを変化させることが記載されているのみである点。
　相違点４
　タイマー手段が、本願発明では、前記所定の時間間隔の終了時点で、この所定の時間間隔の終了を示す前記信号を「前記制御手段」に供給し、「前記制御手段」は、この信号に応答して、「前記信号処理手段」への動作電源の供給を断つようにしているのに対して、引用例１には、それらのことが記載されていない点。
　３　［相違点の検討］
　そこで、上記各相違点について検討する。
　相違点１について
　テレビジョン受像機において、データで変調されたリモートコントロール信号をリモートコントロール受信手段で受け取り、前記変調されたリモートコントロール信号から前記データを復号化する制御手段を設けることは従来から適宜採用されている事項であるから、引用例１に記載のテレビジョン受像機に、本願発明のような「データで変調されたリモートコントロール信号を受け取るリモートコントロール受信手段を設け、前記リモートコントロール受信手段に結合されており、前記変調されたリモートコントロール信号から前記データを復号化する制御手段」を設ける程度のことは当業者が必要に応じて適宜になし得ることといえる。
　相違点２について
　テレビジョン受像機における各回路の制御を制御手段（マイクロプロセッサ）で実行することは極く普通のことであり（必要ならば、特開昭６３−３８３７２号公報参照）、上記相違点１で検討したように、「制御手段」を設けることに伴って、引用例１に記載の発明におけるタイマー回路とビデオ信号処理手段が、本願発明のように、それぞれ「前記制御手段に結合されており」、タイマー回路が所定の時間間隔の終了を示す信号を発生したり、またビデオ信号処理手段がテレビジョンのビデオ信号を処理したりする程度のことは当業者が必要に応じて適宜になし得ることといえる。
　相違点３について
　上記対比（５）でも述べたように、引用例１には、電源オフ直前に特定の画像信号を読出し、その特定画像信号を通常の映像信号に重量し、画像表示器上へ表示すること、およびその特定の画像は時間経過に伴ない、形、大きさあるいは表示位置等の表示内容が変化することが記載されており、このように特定画像信号を通常の映像信号に重量して表示することによって、通常の映像信号の一部が特定の画像領域で覆い隠されることは明らかであり、そのような特定の画像領域を、「第１と第２の境界を有する境界」領域で構成することに格別の技術的意義は認められず、また映像処理において、画面の上端から垂れ幕が下がるように段階的に映像を消去することは引用例２にも示されているように周知である（引用例２の上記（１）、（２）の記載参照）ことを総合勘案すると、引用例１に記載の発明における特定の画像領域を、本願発明のように「第１と第２の境界を有する境界」領域として構成し、更に、時間経過に伴って前記「境界」領域の大きさを除々に「増大」させて、前記ビデオ画像の「より広い部分を除々に」覆い隠すようになす程度のことは、視聴者の嗜好を考慮して当業者が設計上適宜になし得ることといえ、かつそれらの制御を、上記相違点１で検討したように、「制御手段」を設けることに伴って、「制御手段」で行なわせることも当業者が適宜になし得ることといえる。
　相違点４について
　上記相違点１で検討したように、「制御手段」を設けることに伴って、引用例１に記載のタイマー回路が、本願発明のように、前記所定の時間間隔の終了時点で、この所定の時間間隔の終了を示す前記信号を「制御手段」に供給し、「制御手段」は、この信号に応答して、テレビジョン受像機の回路の一部である「信号処理手段」への動作電源の供給を断つようになす程度のことも当業者が必要に応じて適宜になし得ることといえる。
　そして、本願発明の構成に基づく効果についてみても格別顕著なものがあるとはいえない。　　
　　　　　　　　　　　　　　　　　　　　
第４　【むすび】
　以上、本願発明は、引用例１、引用例２に記載の発明および周知事項に基づいて当業者が容易に発明をすることができたものであるから、特許法第２９条第２項の規定により特許を受けることができない。
　よって、結論のとおり審決する。